【事件の表示】
　特許第３１４１２３５号「出窓」の請求項１ないし４に係る特許に対する特許異議の申立てについて、次のとおり決定する。
【結　論】
　訂正を認める。
　特許第３１４１２３５号の請求項１ないし２に係る特許を取り消す。
【理　由】
１．手続の経緯
　本件特許第３１４１２３５号に係る出願は、平成８年３月１２日に出願した特願平８−５４９１７号の一部を特許法第４４条第１項の規定により分割して平成１１年８月２６日に新たな特許出願としたものであって、平成１２年１２月２２６日に特許権の設定登録がなされ、その後、トステム株式会社から特許異議の申立がなされ、取消理由通知が通知され、その指定期間内である平成１４年１月２９日付けで訂正請求がなされたものである。
　
２．訂正の要旨
　訂正事項ａ：特許請求の範囲の請求項３及び４を削除し、特許請求の範囲を次のように訂正する。
「【請求項１】　建物開口部の下部寄りに取付けられ、収納部を構成する外部収納ユニットと、この外部収納ユニットの上部と建物開口部の上部寄りに取付けられ、窓部を構成する出窓本体を備えた出窓であって、前記外部収納ユニットの上部寄りには、室外側に向けて開口した下枠支持部を有する前面下枠支持横材と、室外側に向けて開口した下枠支持部を有する左右の側面下枠支持横材がそれぞれ取付けてあり、前記出窓本体の窓枠を形成する前面下枠、左右の側面下枠には、前記各下枠支持部に入り込んで係合する室内側に向う片がそれぞれ設けてあり、前記外部収納ユニットを取付けた状態で前記窓枠を室内側に向けて移動することで、前記各室内側に向う片が前記各下枠支持部に入り込んで係合して前面下枠が前面下枠支持横材に支持され、かつ左右の側面下枠が左右の側面下枠支持横材に支持され、また、前記前面下枠支持横材の下枠支持部と側面下枠支持横材の下枠支持部とが同一断面形状で、前記前面下枠の室内側に向う片と左右の側面下枠の室内側に向う片とが同一断面形状にし、さらに、前記外部収納ユニットに、内部収納ユニットを室内側から取付けて収納部としたことを特徴とする出窓。
【請求項２】　前記収納部の上部はカウンターによりカバーされ、前記カウンターは、室内から室外に向けてスライドして取付けられ、その前端縁が前面下枠の凹部と左右の側面下枠の凹部に嵌合していることを特徴とする請求項１記載の出窓。
　訂正事項ｂ：明細書第２頁第２５行、２６行目「側面下枠支持横材に支持される」を、次のように訂正する。
「側面下枠支持横材に支持され、また、前記前面下枠支持横材の下枠支持部と側面下枠支持横材の下枠支持部とが同一断面形状で、前記前面下枠の室内側に向う片と左右の側面下枠の室内側に向う片とが同一断面形状にし、さらに、前記外部収納ユニットに、内部収納ユニットを室内側から取付けて収納部とした」
　訂正事項ｃ：明細書第２頁第２７行〜第３頁第１１行目
「【０００６】
　第２の発明は、第１の発明において前記前面下枠支持横材の下枠支持部と側面下枠支持横材の下枠支持部が同一断面形状で、前記前面下枠の室内側に向う片と左右の側面下枠の室内側に向う片が同一断面形状であることを特徴とする出窓である。
【０００７】
　第３の発明は、第１又は第２の発明において前記外部収納ユニットに、内部収納ユニットを室内側から取付けて収納部としたことを特徴とする出窓である。
【０００８】
　第４の発明は、第３の発明において前記収納部の上部はカウンターによりカバーされ、前記カウンターは、室内から室外に向けてスライドして取付けられ、その前端縁が前面下枠の凹部と左右の側面下枠の凹部に嵌合していることを特徴とする出窓である。」を、次のように訂正する。
「【０００６】
　第２の発明は、第１の発明において前記収納部の上部はカウンターによりカバーされ、前記カウンターは、室内から室外に向けてスライドして取付けられ、その前端縁が前面下枠の凹部と左右の側面下枠の凹部に嵌合していることを特徴とする出窓である。
【０００７】
【０００８】」
　訂正事項ｄ：明細書第３頁第１９行〜第４頁第２行目
「作業が簡単である。
【００１０】
　第２の発明によれば、第１の発明と同様に窓枠の前面下枠、左右の側面下枠を外部収納ユニットの上部にビスを用いずに支持できる。
　したがって、外部収納ユニットを取付けた後に窓枠を取付ける作業が簡単である。
【００１１】
　第３の発明によれば、外部収納ユニットを取付けた後に内部収納ユニットを取付けて収納部を形成することで、床の仕上げ作業をした後に内部収納ユニットを取付けて収納部を形成できる。
【００１２】
　第４の発明によれば、カウンターを室内側から簡単に交換できる。」を、次のように訂正する。
「作業が簡単である。
　さらに、外部収納ユニットを取付けた後に内部収納ユニットを取付けて収納部を形成することで、床の仕上げ作業をした後に内部収納ユニットを取付けて収納部を形成できる。
【００１０】
　第２の発明によれば、カウンターを室内側から簡単に交換できる。
【００１１】
【００１２】」
　訂正事項ｅ：明細書第８頁第１１行〜第２３行目
「作業が簡単である。
【００３８】
　請求項２に係る発明によれば、請求項１に係る発明と同様に窓枠の前面下枠、左右の側面下枠を外部収納ユニットの上部にビスを用いずに支持できる。
　したがって、外部収納ユニットを取付けた後に窓枠を取付ける作業が簡単である。
【００３９】
　請求項３に係る発明によれば、外部収納ユニットを取付けた後に内部収納ユニットを取付けて収納部を形成することで、床の仕上げ作業をした後に内部収納ユニットを取付けて収納部を形成できる。
【００４０】
　請求項４に係る発明によれば、カウンターを室内側から簡単に交換できる。」を、次のように訂正する。
「作業が簡単である。
　さらに、外部収納ユニットを取付けた後に内部収納ユニットを取付けて収納部を形成することで、床の仕上げ作業をした後に内部収納ユニットを取付けて収納部を形成できる。
【００３８】
　第２の発明によれば、カウンターを室内側から簡単に交換できる。
【００３９】
【００４０】」
　
３．訂正の適否
　上記訂正事項ａに係る訂正は、特許請求の範囲の減縮及び明りょうでない記載の釈明を目的とするものであり、訂正事項ｂ〜ｅに係る訂正は、訂正事項ａに関連してなされた明りょうでない記載の釈明に該当し、いずれの訂正も、願書に添付した明細書又は図面に記載した事項の範囲内のものであり、さらに、実質上特許請求の範囲を拡張し、又は変更するものではない。
　したがって、上記訂正は、平成１１年改正前の特許法第１２０条の４第２項及び第３項で準用する特許法第１２６条第２項及び第３項の規定に適合するので、当該訂正を認める。
　
４．異議の申立てについての判断
（１）本件発明
　上記のように訂正が認められるから、本件の請求項１及び２に係る発明（以下、「本件発明１及び２」という。）は、訂正明細書の特許請求の範囲の請求項１及び２に記載された事項により特定されるとおりのものである。（上記２．訂正事項ａ参照）　
（２）引用刊行物記載の発明
　これに対して、当審が先に通知した取消理由通知で引用した、実願平１−９８０１８号（実開平３−３７３２８号）のマイクロフィルム（異議申立人提出の甲第２号証。以下、「刊行物１」という。）には、第３頁第１６行〜第４頁第５行、第４頁第１７行〜第５頁第８行、第７頁第５行〜第８頁第１行、第１２頁第４〜６行および第１，３，８図の記載を参照すると、「窓開口部の下部寄りに取付けられ、屋外張出状で箱状の収納部と、収納部の上部と窓開口部の上部寄りに取付けられ、嵌殺し障子を配設した左右両袖部と前面部に位置する前面枠体内の引違い障子を有し台形形状の窓部を構成する窓部本体を備えた出窓ユニットにおいて、窓部と同形状の収納部の上部寄りには、台形形状の窓部と同形状であって、前面部および左右両袖部に突片４３を設けてこれにより形成される屋外側に向けた開口部が設けられた枠体４１が取付けてあり、窓部本体の前面枠体の下枠の下部に設けた屋内側に向う突片４２を、上記枠体４１の前面部の突片４３と係合させて、枠体４１の前面部に前面枠体の下枠を支持させた出窓ユニット」という発明および、「該出窓ユニットの収納部の上部はカウンタによりカバーされ、カウンタの屋内側端部の下側に設けられた屋外側向きの係止溝を収納部屋内側上端に設けられた室内側に向く受片に係合させ、その屋外側端部は、下枠の屋内側取付片と枠体４１の当接片および凹状片によって構成される室内側に向く凹部内に配されている」ことが記載されている。
　また、同、実公平６−１９７４３号公報（異議申立人提出の甲第３号証。以下、「刊行物２」という。）には、第２頁第３欄第２６行〜同第４欄第４行、同第４欄第１５〜３０行、同第４０〜４２行および第１〜５図の記載を参照すると、「台輪を構成する前化粧枠および左右の袖部化粧枠には屋外方向を向いた鈎状の係合片がそれぞれ立設されており、出窓の前下枠および左右の袖部下枠には室内方向を向いた被係合片がそれぞれ突設されており、台輪を室内側から室外側へ押し込み、各係合片を被係合片に係合させて取り付けられる出窓」という発明が記載されている。　
　同、実公平７−１５０４号公報（異議申立人提出の甲第５号証。以下、「刊行物３」という。）には、第２頁第４欄第１８〜２１行および第１，３図の記載を参照すると、「前面および左右の側面にサッシを配した出窓の下枠の後面に備えられた結露受けアングルには、底板の前端縁が嵌合して取付けられている」ことが記載されている。　
（３）対比・判断
ア．本件発明１について
　本件発明１と、刊行物１に記載された発明とを比較すると、刊行物１に記載された発明の「窓開口部」、「（屋外張出状で箱状の）収納部」、「窓部本体」、「前面枠体の下枠」、「屋内側に向う突片４２」、「出窓ユニット」は、それぞれの機能に照らし、各々、本件発明１の「建物開口部」、「（収納部を構成する）外部収納ユニット」、「出窓本体」、「前面下枠」、「室内側に向う片」、「出窓」に相当し、刊行物１に記載された発明の「前面部および左右両袖部に突片４３を設けてこれにより形成される屋外側に向けた開口部が設けられた枠体４１」と、本件発明１の「室外側に向けて開口した下枠支持部を有する前面下枠支持横材と、室外側に向けて開口した下枠支持部を有する左右の側面下枠支持横材」とは、「屋外側に向けて開口した支持部を有する前面および左右の側面支持横材」で共通しているから、両者は、建物開口部の下部寄りに取付けられ、収納部を構成する外部収納ユニットと、この外部収納ユニットの上部と建物開口部の上部寄りに取付けられ、窓部を構成する出窓本体を備えた出窓であって、外部収納ユニットの上部寄りには、屋外側に向けて開口した支持部を有する前面および左右の側面支持横材がそれぞれ取付けてあり、出窓本体の窓枠を形成する前面下枠には、室内側に向う片が設けてあり、窓枠が屋外側に向けて開口した支持部を有する前面および左右の側面支持横材で支持される出窓の点で一致し、下記の点で相違している。
ａ．本件発明１では、出窓本体が、室内側に向う片をそれぞれ設けた前面下枠と左右の側面下枠を有していて、屋外側に向けて開口した支持部を有する前面および左右の側面支持横材が、室外側に向けて開口した下枠支持部を有する前面下枠支持横材と、室外側に向けて開口した下枠支持部を有する左右の側面下枠支持横材であり、また、前面下枠支持横材の下枠支持部と側面下枠支持横材の下枠支持部とが同一断面形状で、前面下枠の室内側に向う片と左右の側面下枠の室内側に向う片とが同一断面形状であるのに対し、刊行物１に記載された発明では、出窓本体が、室内側に向う片を設けた前面下枠は有しているが、左右の袖部が側面下枠を有しているとの限定がなく、屋外側に向けて開口した支持部を有する前面支持横材は、室外側に向けて開口した下枠支持部を有する前面下枠支持横材であるといえるが、屋外側に向けて開口した支持部を有する左右の側面支持横材が、下枠支持部を有する左右の側面下枠支持横材であるかどうか不明であり、また、前面下枠支持横材の下枠支持部と側面下枠支持横材の下枠支持部とが同一断面形状で、前面下枠の室内側に向う片と左右の側面下枠の室内側に向う片とが同一断面形状であるかどうかも不明である点。
ｂ．本件発明１では、窓枠を室内側に向けて移動することで、各室内側に向う片が各下枠支持部に入り込んで係合して前面下枠が前面下枠支持横材に支持され、かつ左右の側面下枠が左右の側面下枠支持横材に支持されるのに対し、刊行物１に記載された発明では、そのような限定がない点。
ｃ．本件発明１では、前記外部収納ユニットに、内部収納ユニットを室内側から取付けて収納部としたのに対し、刊行物１に記載された発明では、そのような構成が明記されていない点。　
　上記相違点ａ及びｂを検討するために、刊行物２に記載された発明をみると、刊行物２に記載された発明の「前化粧枠」、「袖部化粧枠」、「屋外方向を向いた被係合片」、「前下枠」、「袖部下枠」、「屋内方向を向いた被係合片」、「出窓」は、それぞれの機能に照らし、各々、本件発明１の「前面下枠支持横材」、「側面下枠支持横材」、「室外側に向けて開口した下枠支持部」、「前面下枠」、「側面下枠」、「室内側に向う片」、「出窓本体」に相当し、刊行物２に記載された発明の「台輪を室内側から室外側へ押し込み」ということは、本件発明１の「窓枠を室内側に向けて移動する」ことと、相対的には同様であり、さらに、刊行物２には、「袖部下枠ｆ２と袖部化粧枠２にも前下枠ｆ１と前化粧枠１と同様に被係合片３・・・及び係合片５・・・が形成される。」（第２頁第４欄第４０〜４２行）と記載されており、明記はされていないが、刊行物２に記載された発明においても、本件発明１の上記相違点ａに係る構成と同様に、前化粧枠の係合片と袖部化粧枠の係合片が同一断面形状で、前下枠の被係合片と袖部下枠の被係合片が同一断面形状であると解されるから、刊行物２には、上記相違点ａ及びｂに係る本件発明１と同様な、出窓本体が室内側に向う片をそれぞれ設けた前面下枠と左右の側面下枠を有していて、室外側に向けて開口した下枠支持部を有する前面下枠支持横材と、室外側に向けて開口した下枠支持部を有する左右の側面下枠支持横材が設けられており、また、前面下枠支持横材の下枠支持部と側面下枠支持横材の下枠支持部とが同一断面形状で、前面下枠の室内側に向う片と左右の側面下枠の室内側に向う片とが同一断面形状であって、窓枠を室内側に向けて移動することで、各室内側に向う片が各下枠支持部に入り込んで係合して前面下枠が前面下枠支持横材に支持され、かつ左右の側面下枠が左右の側面下枠支持横材に支持される構成が記載されているといえ、これを、刊行物１に記載された発明に適用することは、当業者が適宜なし得ることにすぎない。
　次に、上記相違点ｃについて検討すると、ユニットを内外に分割することは従来から行われていることであり、内部収納ユニットを室内側から取付ける程度のことは、当業者が適宜なし得ることにすぎない。
　そして、本件発明１が奏する作用効果は、刊行物１及び２に記載された発明から予測できる程度のものである。
  したがって、本件発明１は、刊行物１および２に記載された発明に基づいて当業者が容易に発明できたものである。
イ．本件発明２について
　本件発明２は、本件発明１を引用し、さらに「前記収納部の上部はカウンターによりカバーされ、前記カウンターは、室内から室外に向けてスライドして取付けられ、その前端縁が前面下枠の凹部と左右の側面下枠の凹部に嵌合している」という構成を付加し技術的に限定したものである。
　本件発明１は、上記で検討したとおりであるので、それを踏まえて限定された構成について検討すると、刊行物１には、本件発明２の上記限定構成と同様な、「収納部の上部はカウンタによりカバーされ、カウンタの屋内側端部の下側に設けられた屋外側向きの係止溝を収納部屋内側上端に設けられた室内側に向く受片に係合させ、その屋外側端部は、下枠の屋内側取付片と枠体４１の当接片および凹状片によって構成される室内側に向く凹部内に配されている」ことが記載されており、両者は、下記の点で相違している。
ｄ．本件発明２では、カウンターは、室内から室外に向けてスライドして取付けられるのに対し、刊行物１に記載された発明では、そのような限定がされていない点。
ｅ．カウンターの前端縁が、本件発明２では、前面下枠の凹部と左右の側面下枠の凹部に嵌合しているのに対し、刊行物１に記載された発明では、下枠の屋内側取付片と枠体４１の当接片および凹状片によって構成される室内側に向く凹部内に配されている点。
　相違点ｄについて検討すると、刊行物１に記載された発明において、明記はされていないが、カウンタの屋内側端部の下側に設けられた屋外側向きの係止溝を収納部屋内側上端に設けられた室内側に向く受片に係合させ、その屋外側端部は、下枠の屋内側取付片と枠体４１の当接片および凹状片によって構成される室内側に向く凹部内に配されている構成からみて、カウンタを、室内から室外に向けてスライドして取付けることに何ら困難性はなく、この点は、当業者が適宜なし得ることにすぎない。
　また、相違点ｅについて検討するために刊行物３を見ると、刊行物３には、前面および左右の側面にサッシを配した出窓の下枠の後面に備えられた結露受けアングル（本件発明２の「凹部」に相当）には、底板（本件発明２の「カウンター」に相当）の前端縁が嵌合して取付けられている」ことが記載されており、明記はされていないが、前面および左右の側面にサッシを配した出窓であり、底板は出窓全面に及ぶものと解されるから、刊行物３に記載された発明においても、カウンターの前端縁が、前面下枠の凹部と左右の側面下枠の凹部に嵌合しているものと認められ、これを、刊行物１に記載された発明に適用することは、当業者が適宜なし得ることにすぎない。
　そして、本件発明２が奏する作用効果は、刊行物１ないし３に記載された発明から予測できる程度のものである。
  したがって、本件発明２は、刊行物１ないし３に記載された発明に基づいて当業者が容易に発明できたものである。
　
５．むすび
　以上のとおりであるから、本件発明１及び２は、特許法第２９条第２項の規定に違反して特許されたものである。
　したがって、本件発明１及び２の特許は、特許法第１１３条第２項に該当し、取り消されるべきものである。
　よって、結論のとおり決定する。
【異議決定日】
平成１４年３月１日（２００２．３．１）
【訂正の要旨】
訂正の要旨
　特許第３１４１２３５号の明細書を、特許請求の範囲の減縮及び明りょうでない記載の釈明を目的として訂正事項ａのように、また、訂正事項ａに関連してなされた明りょうでない記載の釈明を目的として訂正事項ｂ〜ｅのように訂正する。
　訂正事項ａ：特許請求の範囲の請求項３及び４を削除し、特許請求の範囲を次のように訂正する。
「【請求項１】　建物開口部の下部寄りに取付けられ、収納部を構成する外部収納ユニットと、この外部収納ユニットの上部と建物開口部の上部寄りに取付けられ、窓部を構成する出窓本体を備えた出窓であって、前記外部収納ユニットの上部寄りには、室外側に向けて開口した下枠支持部を有する前面下枠支持横材と、室外側に向けて開口した下枠支持部を有する左右の側面下枠支持横材がそれぞれ取付けてあり、前記出窓本体の窓枠を形成する前面下枠、左右の側面下枠には、前記各下枠支持部に入り込んで係合する室内側に向う片がそれぞれ設けてあり、前記外部収納ユニットを取付けた状態で前記窓枠を室内側に向けて移動することで、前記各室内側に向う片が前記各下枠支持部に入り込んで係合して前面下枠が前面下枠支持横材に支持され、かつ左右の側面下枠が左右の側面下枠支持横材に支持され、また、前記前面下枠支持横材の下枠支持部と側面下枠支持横材の下枠支持部とが同一断面形状で、前記前面下枠の室内側に向う片と左右の側面下枠の室内側に向う片とが同一断面形状にし、さらに、前記外部収納ユニットに、内部収納ユニットを室内側から取付けて収納部としたことを特徴とする出窓。
　【請求項２】　前記収納部の上部はカウンターによりカバーされ、前記カウンターは、室内から室外に向けてスライドして取付けられ、その前端縁が前面下枠の凹部と左右の側面下枠の凹部に嵌合していることを特徴とする請求項１記載の出窓。
　訂正事項ｂ：明細書第２頁第２５行、２６行目「側面下枠支持横材に支持される」を、次のように訂正する。
「側面下枠支持横材に支持され、また、前記前面下枠支持横材の下枠支持部と側面下枠支持横材の下枠支持部とが同一断面形状で、前記前面下枠の室内側に向う片と左右の側面下枠の室内側に向う片とが同一断面形状にし、さらに、前記外部収納ユニットに、内部収納ユニットを室内側から取付けて収納部とした」
　訂正事項ｃ：明細書第２頁第２７行〜第３頁第１１行目
「【０００６】
　第２の発明は、第１の発明において前記前面下枠支持横材の下枠支持部と側面下枠支持横材の下枠支持部が同一断面形状で、前記前面下枠の室内側に向う片と左右の側面下枠の室内側に向う片が同一断面形状であることを特徴とする出窓である。
　【０００７】
　第３の発明は、第１又は第２の発明において前記外部収納ユニットに、内部収納ユニットを室内側から取付けて収納部としたことを特徴とする出窓である。
　【０００８】
　第４の発明は、第３の発明において前記収納部の上部はカウンターによりカバーされ、前記カウンターは、室内から室外に向けてスライドして取付けられ、その前端縁が前面下枠の凹部と左右の側面下枠の凹部に嵌合していることを特徴とする出窓である。」を、次のように訂正する。
「【０００６】
　第２の発明は、第１の発明において前記収納部の上部はカウンターによりカバーされ、前記カウンターは、室内から室外に向けてスライドして取付けられ、その前端縁が前面下枠の凹部と左右の側面下枠の凹部に嵌合していることを特徴とする出窓である。
　【０００７】
　【０００８】」
　訂正事項ｄ：明細書第３頁第１９行〜第４頁第２行目
「作業が簡単である。
　【００１０】
　第２の発明によれば、第１の発明と同様に窓枠の前面下枠、左右の側面下枠を外部収納ユニットの上部にビスを用いずに支持できる。
　したがって、外部収納ユニットを取付けた後に窓枠を取付ける作業が簡単である。
　【００１１】
　第３の発明によれば、外部収納ユニットを取付けた後に内部収納ユニットを取付けて収納部を形成することで、床の仕上げ作業をした後に内部収納ユニットを取付けて収納部を形成できる。
　【００１２】
　第４の発明によれば、カウンターを室内側から簡単に交換できる。」を、次のように訂正する。
「作業が簡単である。
　さらに、外部収納ユニットを取付けた後に内部収納ユニットを取付けて収納部を形成することで、床の仕上げ作業をした後に内部収納ユニットを取付けて収納部を形成できる。
　【００１０】
　第２の発明によれば、カウンターを室内側から簡単に交換できる。
　【００１１】
　【００１２】」
　訂正事項ｅ：明細書第８頁第１１行〜第２３行目
「作業が簡単である。
　【００３８】
　請求項２に係る発明によれば、請求項１に係る発明と同様に窓枠の前面下枠、左右の側面下枠を外部収納ユニットの上部にビスを用いずに支持できる。
　したがって、外部収納ユニットを取付けた後に窓枠を取付ける作業が簡単である。
　【００３９】
　請求項３に係る発明によれば、外部収納ユニットを取付けた後に内部収納ユニットを取付けて収納部を形成することで、床の仕上げ作業をした後に内部収納ユニットを取付けて収納部を形成できる。
　【００４０】
　請求項４に係る発明によれば、カウンターを室内側から簡単に交換できる。」を、次のように訂正する。
「作業が簡単である。
　さらに、外部収納ユニットを取付けた後に内部収納ユニットを取付けて収納部を形成することで、床の仕上げ作業をした後に内部収納ユニットを取付けて収納部を形成できる。
　【００３８】
　第２の発明によれば、カウンターを室内側から簡単に交換できる。
　【００３９】
　【００４０】」
（５４）【発明の名称】
出窓
（５７）【特許請求の範囲】
　【請求項１】　建物開口部の下部寄りに取付けられ、収納部を構成する外部収納ユニットと、この外部収納ユニットの上部と建物開口部の上部寄りに取付けられ、窓部を構成する出窓本体を備えた出窓であって、
　前記外部収納ユニットの上部寄りには、室外側に向けて開口した下枠支持部を有する前面下枠支持横材と、室外側に向けて開口した下枠支持部を有する左右の側面下枠支持横材がそれぞれ取付けてあり、
　前記出窓本体の窓枠を形成する前面下枠、左右の側面下枠には、前記各下枠支持部に入り込んで係合する室内側に向う片がそれぞれ設けてあり、
　前記外部収納ユニットを取付けた状態で前記窓枠を室内側に向けて移動することで、前記各室内側に向う片が前記各下枠支持部に入り込んで係合して前面下枠が前面下枠支持横材に支持され、かつ左右の側面下枠が左右の側面下枠支持横材に支持され
、
　
また、前記前面下枠支持横材の下枠支持部と側面下枠支持横材の下枠支持部とが同一断面形状で、前記前面下枠の室内側に向う片と左右の側面下枠の室内側に向う片とが同一断面形状にし、
　さらに、前記外部収納ユニットに、内部収納ユニットを室内側から取付けて収納部とした
　【請求項２】　
前記収納部の上部はカウンターによりカバーされ、
　前記カウンターは、室内から室外に向けてスライドして取付けられ、その前端縁が前面下枠の凹部と左右の側面下枠の凹部に嵌合していることを特徴とする請求項１記載の出窓。
【発明の詳細な説明】
　【０００１】
　【発明の属する技術分野】
　本発明は、窓部と収納部を備えた出窓に関する。
　【０００２】
　【従来の技術】
　実公平４−１６８７４号公報及び実公平６−１９７４５号公報等に開示されたように、建物開口部の上部寄りに窓部を取付け、その建物開口部の下部寄りに収納部を取付けた出窓が知られている。
　【０００３】
　【発明が解決しようとする課題】
　前述の出窓においては、収納部の上部分に窓部の下部分をビスで連結している。
　このために、収納部を取付けた後に窓部を取付ける作業が面倒である。
　【０００４】
　そこで、本発明は前述の課題を解決できるようにした出窓を提供することを目的とする。
　【０００５】
　【課題を解決するための手段】
　第１の発明は、建物開口部の下部寄りに取付けられ、収納部を構成する外部収納ユニットと、この外部収納ユニットの上部と建物開口部の上部寄りに取付けられ、窓部を構成する出窓本体を備えた出窓であって、
　前記外部収納ユニットの上部寄りには、室外側に向けて開口した下枠支持部を有する前面下枠支持横材と、室外側に向けて開口した下枠支持部を有する左右の側面下枠支持横材がそれぞれ取付けてあり、
　前記出窓本体の窓枠を形成する前面下枠、左右の側面下枠には、前記各下枠支持部に入り込んで係合する室内側に向う片がそれぞれ設けてあり、
　前記外部収納ユニットを取付けた状態で前記窓枠を室内側に向けて移動することで、前記各室内側に向う片が前記各下枠支持部に入り込んで係合して前面下枠が前面下枠支持横材に支持され、かつ左右の側面下枠が左右の側面下枠支持横材に支持され
、
　
また、前記前面下枠支持横材の下枠支持部と側面下枠支持横材の下枠支持部とが同一断面形状で、前記前面下枠の室内側に向う片と左右の側面下枠の室内側に向う片とが同一断面形状にし、
　さらに、前記外部収納ユニットに、内部収納ユニットを室内側から取付けて収納部とした
　【０００６】
　
第２の発明は、第１の発明において前記収納部の上部はカウンターによりカバーされ、
　前記カウンターは、室内から室外に向けてスライドして取付けられ、その前端縁が前面下枠の凹部と左右の側面下枠の凹部に嵌合していることを特徴とする出窓である。
　【０００７】
　【０００８】
　【０００９】
　【作　用】
　第１の発明によれば、外部収納ユニットを取付けた状態で窓枠を室内側に向けて移動することで、各室内側に向う片が各下枠支持部に入り込んで係合し、前面下枠、側面下枠が前面下枠支持横材、側面下枠支持横材に支持されるから、窓枠の前面下枠、左右の側面下枠を外部収納ユニットの上部にビスを用いずに支持できる。
　したがって、外部収納ユニットを取付けた後に窓枠を取付ける作業が簡単である。
　
さらに、外部収納ユニットを取付けた後に内部収納ユニットを取付けて収納部を形成することで、床の仕上げ作業をした後に内部収納ユニットを取付けて収納部を形成できる。
　【００１０】
　
第２の発明によれば、カウンターを室内側から簡単に交換できる。
　【００１１】
　【００１２】
　【００１３】
　【発明の実施の形態】
　図１に示すように、建物躯体を構成する左右の柱１，１と上横材２と下横材３とで建物開口部４とし、この建物開口部４の下部寄りに収納部を構成する外部収納ユニット５を取付け、この外部収納ユニット５の上部と建物開口部４の上部寄りに窓部を構成する出窓本体６を取付ける。
　【００１４】
　前記外部収納ユニット５は上面板７と下面板８と前面板９と左右の側面板１０で室内部を開口した箱状であり、その上面板７と下面板８に亘って図２に示すように複数の仕切板１１が取付けてある。この外部収納ユニット５の上部寄りには前面下枠支持横材１２と左右の側面下枠支持横材１３が取付けてある。
　【００１５】
　前記出窓本体６は窓枠１４と屋根１５を備え、窓枠１４を構成する前面下枠１６が前面下枠支持横材１２に支持され、左右の側面下枠１７が側面下枠支持横材１３に支持される。
　【００１６】
　前述のように外部収納ユニット５と出窓本体６を取付けた後に図２に示すように窓枠１４にガラス板、ガラス障子などのパネル体１８を取付けて窓部とする。そして内部収納ユニット２０を室内から外部収納ユニット５に取付けて収納部とする。この内部収納ユニット２０は上面板２１と下面板２２と左右の側面板２３とで矩形枠状としてある。この内部収納ユニット２０に扉２８を取付ける。
　【００１７】
　カウンター２４は内部収納ユニット２０の上面板２１と外部収納ユニット５の上面板７とに亘って取付けられ、収納部の上部をカバーしている。
　【００１８】
　前記内部収納ユニット２０、カウンター２４における柱１より室内側に突出した部分に左右の化粧側板２５を取付け、内部収納ユニット２０の下部に巾木２６を取付ける。建物開口部４の上部寄り室内側部に下向きコ字状の窓枠２７を取付ける。
　【００１９】
　前記外部収納ユニット５の下面板８は図３に示すように内面プレート３０と外面プレート３１を前後一対の木材のスペーサ３２を介して接合し、内部に断熱材３３が設けてあり、この下面板８は断熱性に優れている。
　【００２０】
　前記外部収納ユニット５の前面板９、側面板１０は図３と図４に示すように内面プレート３４と外面プレート３５を上下一対の木材のスペーサ３６を介して接合し、その内部に断熱材３７を設けたものであり、この前面板９、側面板１０は断熱性に優れている。前記内面プレート３４は上のスペーサ３６よりも上方に突出し、その外面に木板３８が設けてある。
　【００２１】
　これによって、前面板９、側面板１０の上部はＬ字状となって取付部９ａ，１０ａを有し、この取付部９ａ，１０ａに前面下枠支持横材１２、側面下枠支持横材１３がそれぞれ取付けてある。
　【００２２】
　前述のように外部収納ユニット５の室外に突出して外気と接触する下面板８、前面板９、側面板１０は断熱性に優れているから、収納部を経て室内と室外とに熱が伝わることが低減し、収納部に結露が生じない。
　【００２３】
　前記前面下枠支持横材１２と側面下枠支持横材１３は図３と図４に示すように同一断面形状であり、室外寄り上面１２ａ，１３ａに上向片３９と鉤形４０を一体的に設けて室外側に向けて開口した下枠支持部４１を形成している。
　【００２４】
　前記窓枠１４の前面下枠１６、側面下枠１７の下部室外寄りにはＬ字片４２が室内側に向けて一体的に設けてあり、このＬ字片４２を下枠支持部４１に係合して乾式シール材４３を介して載置してある。
　【００２５】
　このようであるから、外部収納ユニット５を取付けた状態で窓枠１４を室内側に向けて移動することで各Ｌ字片４２が各下枠支持部４１に入り込んで支持されるし、Ｌ字片４２と下枠支持部４１との間が乾式シール材４３でシールされる。
　【００２６】
　したがって、窓枠１４の前面下枠１６、側面下枠１７を外部収納ユニット５の上部にビスを用いずに支持できるし、現場で湿式シール材を充填せずにシールできるから、窓枠１４の取付け作業が簡単となる。
　【００２７】
　前記仕切板１１は外部収納ユニット５よりも室内側に向けて突出し、その上端面１１ａの突出部寄りは切欠きされて段部４４を有し、下端面１１ｂにおける突出部寄りも切欠きされて突片４５を一体的に有している。
　【００２８】
　前記内部収納ユニット２０の上面板２１は第１板５０の室内寄り下面に第２板５１を重ね合せたもので、その上面２１ａ、下面２１ｂは段付き形状となっている。下面板２２は内面プレート２２ａと下面プレート２２ｂの２層板状である。前記側面板２３は内面プレート５２と外面プレート５３を中間材５４を介して接合した３層板状としてある。下面板２２の内面プレート２２ａには仕切板１１の突片４５が嵌合する溝５５が形成してある。下面板２２の外面プレート２２ｂの室内寄りに巾木取付材５６が取付けてある。
　【００２９】
　前記外部収納ユニット５の側面板１０を構成するスペーサ３６が図５に示すように固定用金具５７で柱１の室外面に固定してある。左右の柱１の下部間における下部寄りに図３に示すように支持材５８が横架固定してあり、この支持材５８は外部収納ユニット５の下面板８の内面よりも外部収納ユニット２０の下面板２２の厚さだけ下に位置している。
　【００３０】
前記内部収納ユニット２０は室内より仕切板１１の突出部分をガイドとして室外に向けて押し込んで図３、図５に示すように、上面板２１と下面板２２と側面板２３を外部収納ユニット５の上面板７、下面板８、側面板１０に突き当てると共に、仕切板１１の突片４５を溝５５に嵌合し、下面板２２を支持材５８にビス５９で固着して取付ける。
　【００３１】
　前記外部収納ユニット５の側面板１０の室内側端面（スペーサ３６）にはダボ穴６０が形成され、内部収納ユニット２０の側面板２３の室外側端面（スペーサ５４）にはダボ穴６１が形成してある。この両方のダボ穴に接着剤を塗布したダボ６２を嵌合してある。これによって外部収納ユニット５と内部収納ユニット２０を位置ずれなく正しく連結できる。
　【００３２】
　前記カウンター２４は室内から室外に向けてスライドして取付けられ、その前端縁が前面下枠１６の凹部１６ａ、側面下枠１７の凹部１７ａに嵌合してあると共に、外部収納ユニット２０の上面板２１の第２板５１にビス６３で固定してある。これにより、カウンター２４を室内側から簡単に交換できる。
　【００３３】
　前記カウンター２４の室内側に突出した部分には軟質樹脂などの軟質材より成るエッジ材６４が取付けてある。これによってカウンター２４の室内側に突出した部分の見栄えが良くなるし、人が触れた時に安全である。
　【００３４】
　床材７０は根太７１に載置して取付けてあり、その根太７１は根太掛け７２で支持してある。前記床材７０は建物開口部４内まで突出して外部収納ユニット５の下面板８の室内側端面（スペーサ３２）に当接している。これにより、外部収納ユニット５の下部と床材７０が連結するので室内と室外の気密性が向上する。
　【００３５】
　前述のように床材７０は収納部の室内側突出部（内部収納ユニット２０）の下方に突出しているので、この床を仕上げ作業する時に収納部の室内側突出部が邪魔となるから、床を取付けて仕上げ作業した後に内部収納ユニット２０を取付け、その後に巾木２６を取付けると共に、化粧側板２５を取付ける。
　【００３６】
　前記化粧側板２５は内部収納ユニット２０の側面板２３に取付ける。前記窓枠２７は上枠７３と左右縦枠７４で下向コ字状となり、その上枠７３、縦枠７４の室内側部に化粧縁７５をそれぞれ取付けて、室内装飾板７６と連続させることで見栄えを良くしている。
　【００３７】
　【発明に効果】
　請求項１に係る発明によれば、外部収納ユニットを取付けた状態で窓枠を室内側に向けて移動することで、各室内側に向う片が各下枠支持部に入り込んで係合し、前面下枠、側面下枠が前面下枠支持横材、側面下枠支持横材に支持されるから、窓枠の前面下枠、左右の側面下枠を外部収納ユニットの上部にビスを用いずに支持できる。
　したがって、外部収納ユニットを取付けた後に窓枠を取付ける作業が簡単である。
　
さらに、外部収納ユニットを取付けた後に内部収納ユニットを取付けて収納部を形成することで、床の仕上げ作業をした後に内部収納ユニットを取付けて収納部を形成できる。
　【００３８】
　
請求項２に係る発明によれば、カウンターを室内側から簡単に交換できる。
　【００３９】
　【００４０】
【図面の簡単な説明】
　【図１】
　窓部と外部収納ユニットの斜視図である。
　【図２】
　内部収納ユニット部分の斜視図である。
　【図３】
　出窓取付状態の縦断面図である。
　【図４】
　出窓取付状態の側部横断面図である。
　【図５】
　出窓取付状態の収納部横断面図である。
　【符号の説明】
４…建物開口部
５…外部収納ユニット
６…出窓本体
１２…前面下枠支持横材
１３…側面下枠支持横材
１４…窓枠
１６…前面下枠
１６ａ…凹部
１７…側面下枠
１７ａ…凹部
２０…内部収納ユニット
２４…カウンタ
４１…下枠支持部
４２…Ｌ字片（片）